(57)【要約】【課題】水平載置型のインスツルメントホルダ上に配置されたハンドピースを取り出す際、術者の手がハンドピースのヘッド部に設けられている刃物に当って傷を受けることがあった。【解決手段】５は歯科治療用ハンドピース８を載置可能なインスツルメントホルダであって、該インスツルメントホルダ５は、少なくとも、水平載置状態（図１（Ａ）とハンドピースの先端部が前方下向に傾斜した傾斜載置状態（図１（Ｂ））との２つの位置を選択可能である。術者がインスツルメントホルダからハンドピースを取り出す時に、たとえ、刃物１２を上向きにして載置されていたとしても、手を矢印Ｄ’方向に伸ばしても該ハンドピースのヘッド部（先端部）に設けられている刃物１２に手が触れるようなことはなく、従って、手に傷がつくことはない。【選択図】図１
2007130031.tif 000002
【特許請求の範囲】
【請求項１】
歯科治療用ハンドピースを載置可能なインスツルメントホルダであって、該インスツルメントホルダは、少なくとも、水平載置状態とハンドピースの先端部が前方下方に傾斜した傾斜載置状態との２つの位置を選択可能であることを特徴とする歯科治療用インスツルメントホルダ。
【請求項２】
前記ハンドピースはインスツルメントホースに連結された状態で前記インスツルメントホルダに載置されており、前記インスツルメントホースは、常時後方に引張られていることを特徴とする請求項１に記載の歯科治療用インスツルメントホルダ。
【請求項３】
前記インスツルメントホースが逆フライングアームによって常時後方に引張られていることを特徴とする請求項２に記載の歯科治療用インスツルメントホルダ。
【発明の詳細な説明】
【技術分野】
【０００１】
本発明は、歯科治療用インスツルメントホルダ、より詳細には、歯科治療用ハンドピースを水平に載置可能なインスツルメントホルダにおいて、該インスツルメントホルダを水平載置状態及び前方下方の傾斜載置状態の少なくとも２つの載置状態に選択的に変更可能とした歯科治療用インスツルメントホルダに関する。
【背景技術】
【０００２】
図２は、本発明が適用される歯科治療ユニットの一例を示す全体構成図で、図中、１０は歯科治療ユニットで、該ユニット１０は、治療椅子１，ワークテーブル２，スピットン３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
上記従来の歯科治療ユニットにおいては、インスツルメントホルダ５は、図示のように、常時水平状態に固定されており、術者は、この状態で、インスツルメントホルダ５から歯科治療に必要な所望のインスツルメント（ハンドピース）８を取り出して歯科治療を行っている。ハンドピースのヘッド部には刃物が取り付けられており、ハンドピース８は、通常、この刃物を下向にした状態でインスツルメントホルダ５の上に載置されているが、構造上、必ずしも、下向きに載置されるとは限らず、使用中に、誤って、上向きに載置されてしまうことがある。
【発明の開示】
【発明が解決しようとする課題】
【０００４】
術者は、上述のごとくしてインスツルメントホルダ５上に配置されたハンドピースを取り出す際、手を略水平方向に移動してハンドピース８のグリップ部を握るが、その際、ハンドピースが刃物を上向きにした状態で載置されていると、手が、グリップ部に到る前に、ハンドピースのヘッド部に設けられている刃物部を通り、その際、刃物に指等が当って傷を受けることがあった。
【０００５】
本発明は、上述のごとき実情に鑑みてなされたもので、術者がインスツルメントホルダからハンドピースを取り出す時に、該ハンドピースのヘッド部（先端部）に設けられている刃物で傷がつくことのないようにしたインスツルメントホルダを提供することを目的としてなされたものである。
【課題を解決するための手段】
【０００６】
上記課題を解決するために、本発明の第１の技術手段は、歯科治療用ハンドピースを載置可能なインスツルメントホルダであって、該インスツルメントホルダは、少なくとも、水平載置状態とハンドピースの先端部が前方下方に傾斜した傾斜載置状態との２つの位置を選択可能であることを特徴としたものである。
【０００７】
第２の技術手段は、第１の技術手段において、前記ハンドピースはインスツルメントホースに連結された状態で前記インスツルメントホルダに載置されており、前記インスツルメントホースは、常時後方に引張られていることを特徴としたものである。
【０００８】
第３の技術手段は、第２の技術手段において、前記インスツルメントホースが逆フライングアームによって常時後方に引張られていることを特徴としたものである。
【発明の効果】
【０００９】
本発明によるインスツルメントホルダによると、ハンドピースを該ハンドピースの前方を下方にした傾斜状態にすることができるので、傾斜状態に設定した場合、術者がハンドピースを取ろうとして（グリップを握ろうとして）、手を水平方向に伸ばしたとしても、ハンドピースの刃部は、手の水平移動位置より下方になるので、手（指）がハンドピースの刃物に当るようなことはなく、術者の手が刃物によって損傷を受けるようなことはない。勿論、術者によっては、従来通り水平載置状態で使用することも可能である。
【発明を実施するための最良の形態】
【００１０】
図１は、本発明によるインスツルメントホルダの一実施例を説明するための要部概略構成図で、図１（Ａ）は、インスツルメントホルダ５を従来通り水平状態に保持した時の状態を示す図で、インスツルメントホルダ５をこのように設定した時は、従前のインスツルメント水平載置型のインスツルメントホルダと全く同様にして使用することができる。しかし、この場合、刃物１２が上向きになっていると、インスツルメントホルダ５からインスツルメント（ハンドピース）８を取り出そうとして、手を矢印Ｄ方向に動かすと、ハンドピース８のヘッド部１１に設けられている刃物１２に手（指）が当ってしまうことがあり、刃物１２が指に刺さってしまう等の怪我の恐れがあった。勿論、現状のインスツルメントホルダは、そのほとんどが、図１（Ａ）に示したような、水平載置式のものであり（垂直配置式のものもある）、熟練した術者にとって図１（Ａ）に示した状態で使用しても問題はない。
【００１１】
図１（Ｂ）は、図１（Ａ）に示したインスツルメントホルダ５を上述のごとき怪我の恐れのない傾斜状態に変更した時の状態を示す要部概略構成図で、本発明においては、インスツルメントホルダ５を図１（Ａ）に示した水平状態と図１（Ｂ）に示した傾斜状態の少なくとも２つの状態に変更可能にしたものである。勿論、２つの状態に限定されるものではなく、３つ以上の所望の状態に変更可能にすることも可能であり、更には、連続的に任意所望の傾斜に調整するようにすることも可能である。
【００１２】
図１に示した例は、インスツルメントホルダ５を水平載置状態（図１（Ａ））と傾斜載置状態（図１（Ｂ））の２つの状態に変更可能にしたものであり、具体的には、ワークテーブル２の前方下部の両端に平行に設けられたアーム２1，２2（２2は２1の陰で見えない）には、ほぼ水平の長穴２11が設けられており、この長穴２11内をインスツルメントホルダの側板に設けられたピン５1が移動可能に係合されている。１４はリンクバーで、該リンクバーは、その一端側のピン軸１４1は前記アーム２1に設けられたピン穴に係合し、他端側のピン軸１４2はインスツルメントホルダ５の後端側に設けられたピン穴に係合しており、リンクバー１４をピン軸１４1を中心にＥ方向に回動することによって、図１（Ａ）に示した水平状態から図１（Ｂ）に示した傾斜状態に、或いは、図１（Ｂ）に示した傾斜状態から図１（Ａ）に示した水平状態に変更固定することができる。
【００１３】
なお、図１には、１つの傾斜状態に変更する例を示したが、それ以上の複数傾斜状態に変更するように設計することも可能であり、更には、連続的に傾斜を変え、任意所望の傾斜状態にして固定するように設計することも可能である。
【００１４】
図１（Ｂ）に示したように、本発明によると、インスツルメントホルダを傾斜状態に設定することができ、このようにすると、インスツルメント（ハンドピース）８のグリップを取ろうとして、手をＤ’方向に伸ばした時に、刃物１２が手の移動通路Ｄ’より下方になり、たとえ、刃物１２が上向きになっていたとしても、手が刃物１２に触るようなことがなく、安全である。
【００１５】
上述のように、本発明は、インスツルメントホルダにインスツルメント（ハンドピース）を搭載した状態で、インスツルメントホルダを傾斜させるので、傾斜させた時に、インスツルメントがインスツルメントホルダからずり落ちる恐れがある。そのため、インスツルメントを後方に引き戻すような何らかの力をインスツルメントホースに加えておく必要がある。
【００１６】
図１において、１３はインスツルメント（ハンドピース）を後方に引張っておくための手段の一例としての逆フライングアームで、該逆フライングアーム１３によって、インスツルメントホース９を常に後ろ側に引張っておくようにし、これにより、インスツルメントホルダを図１（Ｂ）に示した傾斜状態にしたときに、インスツルメント（ハンドピース）８がその自重で落下するようなことはなく、インスツルメントが床に当って破損したり、汚れたりするような恐れはない。
【図面の簡単な説明】
【００１７】
【図１】本発明によるインスツルメントホルダの一実施例を説明するための要部概略構成図である。
【図２】本発明が適用される歯科治療ユニットの全体構成を示す要部概略構成図である。
【符号の説明】
【００１８】
１…治療椅子、２…ワークテーブル、２1，２2…アーム、２11…長穴、３…スピットン、４…無影灯、５…インスツルメントホルダ、５1…ピン、６…フットスイッチ、７…アシスタントインスツルメントホルダ、８…ハンドピース、９…インスツルメントホース、１０…歯科治療ユニット、１１…ヘッド部、１２…刃物、１３…逆フライングアーム、１４…リンクバー、１４1，１４2…ピン軸。
【図１】
2007130031.tif 000003
【図２】
2007130031.tif 000004